(57)【特許請求の範囲】
【請求項１】
複数のＸ線検出装置と、表示装置と、入力受付装置と接続するＸ線撮影装置であって、
前記複数のＸ線検出装置の全てがＸ線を検出することができない非駆動状態であって、前記入力受付装置による外部からの入力が一定時間ない状態である場合に、前記表示装置に表示される情報の少なくとも一部を隠蔽して表示するように制御する表示制御手段を備えることを特徴とするＸ線撮影装置。
【請求項２】
前記複数のＸ線検出装置の全ての電源が入っていない状態またはＸ線撮影を行わない待機状態である場合に前記非駆動状態であると判定する駆動判定手段を更に備え、
前記駆動判定手段により前記非駆動状態であると判定された場合に、前記表示制御手段は前記表示装置に表示される情報の少なくとも一部を隠蔽して表示することを特徴とする請求項１に記載のＸ線撮影装置。
【請求項３】
前記入力受付装置による入力が一定時間ない状態であるか否かを判定する入力判定手段を更に備え、
前記入力判定手段により前記入力が一定時間ない状態であると更に判定された場合に、前記表示制御手段は、前記表示装置に表示される情報の少なくとも一部を隠蔽して表示するように制御することを特徴とする請求項２に記載のＸ線撮影装置。
【請求項４】
前記駆動判定手段により前記複数のＸ線検出装置の全てが前記非駆動状態ではないと判定された場合、
前記駆動判定手段は、所定時間が経過した後に再び前記複数のＸ線検出装置の全てが前記非駆動状態であるか否かを判定することを特徴とする請求項３に記載のＸ線撮影装置。
【請求項５】
前記入力判定手段は、前記表示制御手段により前記表示装置に表示される情報が隠蔽して表示されるように制御された後に、前記入力受付装置による前記入力があったか否かをさらに判定し、
前記表示制御手段は、前記入力判定手段により前記入力受付装置による前記入力があったと判定された場合に、前記情報の隠蔽表示を終了することを特徴とする請求項３または４に記載のＸ線撮影装置。
【請求項６】
前記隠蔽は、スクリーンセーバであることを特徴とする請求項１乃至５のいずれか一項に記載のＸ線撮影装置。
【請求項７】
前記Ｘ線撮影装置は、複数のＸ線発生装置とさらに接続されており、
前記表示制御手段は、前記複数のＸ線検出装置の全てが前記非駆動状態であり且つ前記複数のＸ線発生装置の全てが非駆動状態であり、前記入力受付装置による外部からの入力が一定時間ない状態である場合に、前記表示装置に表示される情報の少なくとも一部を隠蔽して表示するように制御することを特徴とする請求項１乃至６の何れか項に記載のＸ線撮影装置。
【請求項８】
表示制御手段を備え、複数のＸ線検出装置と、表示装置と、入力受付装置と接続するＸ線撮影装置の制御方法であって、
前記表示制御手段が、前記複数のＸ線検出装置の全てがＸ線を検出することができない非駆動状態であって前記入力受付装置による前記入力が一定時間ない状態である場合に、前記表示装置に表示される情報の少なくとも一部を隠蔽して表示するように制御する表示制御工程を備えることを特徴とするＸ線撮影装置の制御方法。
【請求項９】
請求項８に記載のＸ線撮影装置の制御方法の各工程をコンピュータに実行させるためのプログラム。
【発明の詳細な説明】
【技術分野】
【０００１】
本発明は、Ｘ線撮影装置、Ｘ線撮影装置の制御方法、およびプログラムに関し、特にＸ線撮影装置の駆動状態に応じて表示装置の表示形態を変更するＸ線撮影装置、Ｘ線撮影装置の制御方法、およびプログラムに関する。
【背景技術】
【０００２】
従来、病院で発生する患者の医用画像情報をデジタル化して保存・伝送することにより、検査の効率化・迅速化を図りたいというニーズが高まりつつある。このため、直接撮影の分野においても、これまでのスクリーン／フィルム系に代わり、FPD(Flat Panel Detector)などのＸ線検出装置を利用したデジタルデータを出力するＸ線撮影システムが多く用いられるようになってきた。
【０００３】
従来のＸ線撮影システムは、Ｘ線検出装置と接続してＸ線検出装置の撮影動作を制御する撮影制御信号の送信を行い、当該撮影制御信号に基づいて撮影されたＸ線画像データをＸ線検出装置から取得する。またＸ線画像データの表示、画像処理、管理や、患者情報の管理、撮影シーケンスの管理を行うＸ線撮影システムが考案されている。
【０００４】
この様なＸ線撮影システムにおいて、マウス、キーボード、トラックボール、照射スイッチ等の入力部からの入力操作が一定時間以上ない場合に、情報隠蔽表示処理を実行することにより、画面表示の消去や、画面に動画を表示する技術が考案されている。本来情報隠蔽表示処理は表示画面の焼き付きを防止するために考案されたものであるが、近年では個人情報保護の観点から使用されることが多い。特にアメリカにおけるHIPAA法にあるように、医療、介護分野における個人情報保護は不可欠なものになっており、個人情報を保護する方法として情報隠蔽表示処理が実施されている。
【０００５】
従来の情報隠蔽表示処理について、特許文献１では、自装置内の情報変化でスクリーンセーバの終了を実施する発明が開示されている。
【先行技術文献】
【特許文献】
【０００６】
【特許文献１】特開2003-290196号公報
【発明の概要】
【発明が解決しようとする課題】
【０００７】
しかしながら、従来のＸ線撮影システムには次に述べる様な問題点がある。個人情報保護の観点から、従来のＸ線撮影システムでは、入力部からの入力操作が一定時間以上ない場合に情報隠蔽表示処理を実行していたため、撮影が開始可能な状態でも一定時間経過した場合に、情報隠蔽表示処理が実行されてしまう。
【０００８】
この場合、Ｘ線の照射処理の実行と情報隠蔽表示処理の実行とが衝突する可能性があり、衝突するとＸ線は照射されたが画像は表示されないといった事態になる可能性がある。
【０００９】
特に、Ｘ線透視を実施した場合は画像が保存されないため、撮影後に参照することもできなくなり、患者に無駄な被曝をさせてしまう恐れがある。
【００１０】
上記の課題に鑑み、本発明は、患者が無駄な被曝を被ることを回避することを目的とする。
【課題を解決するための手段】
【００１１】
上記の目的を達成する本発明に係るＸ線撮影装置は、
複数のＸ線検出装置と、表示装置と、入力受付装置と接続するＸ線撮影装置であって、
前記複数のＸ線検出装置の全てがＸ線を検出することができない非駆動状態であって、前記入力受付装置による外部からの入力が一定時間ない状態である場合に、前記表示装置に表示される情報の少なくとも一部を隠蔽して表示するように制御する表示制御手段を備えることを特徴とする。
【発明の効果】
【００１２】
本発明によれば、患者が無駄な被曝を被ることを回避することができる。
【図面の簡単な説明】
【００１３】
【図１】第１実施形態に係るＸ線撮影システムの概略構成図。
【図２】第２実施形態に係るＸ線撮影システムの概略構成図。
【図３】第３実施形態に係るＸ線撮影システムの概略構成図。
【図４】Ｘ線撮影装置による情報隠蔽処理の手順を示すフローチャート。
【図５】情報隠蔽表示状態へ遷移する従来の状態を示す図。
【図６】情報隠蔽表示状態へ遷移する従来の状態を示す図。
【図７】情報隠蔽表示状態へ遷移する本発明の状態を示す図。
【発明を実施するための形態】
【００１４】
（第１実施形態）
以下、図面を参照して本発明に係る第１実施形態について説明する。図１は、本実施形態に係るＸ線撮影装置１０８の構成を示すブロック図である。Ｘ線撮影装置１０８は、入力状態判定部１０４と、情報隠蔽表示指示部１０５と、駆動状態判定部１０６と、を備える。入力状態判定部１０４は入力部１０３と接続されている。情報隠蔽表示指示部１０５は、Ｘ線検出装置Ａ（Ｘ線検出装置１０１）およびＸ線検出装置Ｂ（Ｘ線検出装置１０２）と接続されている。駆動状態判定部１０６は、画面表示部１０７と接続されている。各処理部は、Ｘ線撮影装置１０８が備える不図示のＣＰＵにより制御される。ＣＰＵは、不図示の記憶部に記憶されている制御プログラムを読み出して、当該制御プログラムを実行することにより各処理部を制御する。
【００１５】
Ｘ線検出装置Ａ（Ｘ線検出装置１０１）およびＸ線検出装置Ｂ（Ｘ線検出装置１０２）は、照射されたＸ線を検出する。入力部１０３は、ユーザ等外部からの入力を受け付ける（入力受付）。入力部１０３は、Ｘ線撮影装置１０８の外部の入力装置であるが、Ｘ線撮影装置１０８の内部に入力部１０３を有する構成であってもよい。入力状態判定部１０４は、一定時間経過した時に入力部１０３からの入力があるか、またはないかを判定する。
【００１６】
情報隠蔽表示指示部１０５は、入力状態判定部１０４および駆動状態判定部１０６からの情報により、個人情報の観点や省電力、画面の焼きつき防止を目的として、画面表示部１０７へ出力する情報の一部もしくは全部を隠蔽表示するように画面表示部１０７へ指示する。
【００１７】
駆動状態判定部１０６は、接続されている全ての装置、すなわちＸ線検出装置Ａ（Ｘ線検出装置１０１）およびＸ線検出装置Ｂ（Ｘ線検出装置１０２）の電源が入っていない状態もしくはＸ線撮影を行わない待機状態である場合に、非駆動状態であると判定する。画面表示部１０７は、各種情報を表示制御する。画面表示部１０３は、Ｘ線撮影装置１０８の外部の表示装置であるが、Ｘ線撮影装置１０８の内部に画面表示部１０３を有する構成であってもよい。
【００１８】
次に、図４のフローチャートを参照して、Ｘ線撮影装置による情報隠蔽処理の手順を示す。
【００１９】
Ｓ４０１において、駆動状態判定部１０６は、接続されている全ての装置、すなわちＸ線検出装置Ａ（Ｘ線検出装置１０１）およびＸ線検出装置Ｂ（Ｘ線検出装置１０２）が、電源が入っていない状態もしくは待機状態である非駆動状態であるか否かを判定する（駆動判定処理）。非駆動状態である場合は、すぐに透視や撮影が実施できる状態ではないことを確認できる。接続されている全ての装置が非駆動状態であると判定された場合（Ｓ４０１；ＹＥＳ）、Ｓ４０３へ進む。一方、接続されている全ての装置のうち１つでも電源が入っており、待機状態ではない状態の装置、つまり撮影準備状態である装置があると判定された場合（Ｓ４０１；ＮＯ）、Ｓ４０２へ進む。
【００２０】
Ｓ４０２において、一定の待機時間（所定時間）を経た後に、Ｓ４０１へ戻る。Ｓ４０３において、入力状態判定部１０４は、入力部１０３からの入力操作があるか否かを判定する（入力判定処理）。入力操作があると判定された場合（Ｓ４０３；ＹＥＳ）、Ｓ４０１へ戻る。一方、入力操作がないと判定された場合（Ｓ４０３；ＮＯ）、Ｓ４０４へ進む。
【００２１】
Ｓ４０４において、入力状態判定部１０４は、入力部１０３からの入力操作が一定時間以上ないままであるか否かを判定する。入力操作が一定時間以上ないと判定された場合（Ｓ４０４；ＹＥＳ）、Ｓ４０６へ進む。一方、一定時間内に入力操作があったと判定された場合（Ｓ４０４；ＮＯ）、Ｓ４０５へ進む。
【００２２】
Ｓ４０５において、一定の待機時間を経た後に、Ｓ４０３へ戻る。Ｓ４０６において、情報隠蔽表示指示部１０５は、非駆動状態が一定時間継続したため、情報隠蔽表示処理を実施する。例えば、スクリーンセーバを表示することにより情報を隠蔽してもよい。また、情報部分のみを隠蔽してもよいし、当該情報を含む画面全体を隠蔽してもよい。
【００２３】
Ｓ４０７において、入力状態判定部１０４は、入力部１０３からの入力操作があるか否かを判定する。入力操作があると判定された場合（Ｓ４０７；ＹＥＳ）、Ｓ４０９へ進む。一方、入力操作がないと判定された場合（Ｓ４０７；ＮＯ）、Ｓ４０８へ進む。
【００２４】
Ｓ４０８において、一定の待機時間を経た後に、Ｓ４０７へ戻る。Ｓ４０９において、情報隠蔽表示指示部１０５は、情報隠蔽表示処理を終了する。以上で一連の処理が終了する。
【００２５】
ここで、図５および図６は、Ｘ線撮影装置の従来の取り得る状態同士の遷移可能性を示す。ここで単方向矢印は、ある状態から別の状態へ遷移することが可能であることを示しており、双方向矢印はある状態と別の状態とを相互に遷移可能であることを示している。Ｘ線撮影装置の従来の取り得る状態とは、非起動状態５０１、起動状態５０２、待機状態５０３、撮影準備状態５０４、撮影状態５０５、および情報隠蔽表示状態５０６である。図５では、情報隠蔽表示状態５０６は、その他の各状態の全てとの間で遷移可能である。図６では、情報隠蔽表示状態５０６は、撮影状態５０５以外の各状態の全てとの間で遷移可能である。すなわち、何れの場合であっても、撮影準備状態５０４から情報隠蔽表示状態５０６へ遷移可能であるため、撮影状態５０５への遷移と情報隠蔽表示状態５０６への遷移との衝突が発生する可能性がある。
【００２６】
しかしながら、本実施形態によれば、図７に示されるように、非起動状態５０１、起動状態５０２、および待機状態５０３との間での遷移しか許容しなくなるため、衝突の発生を回避可能である。これにより患者が無駄な被曝を被ることを回避することが可能となる。
【００２７】
（第２実施形態）
以下、図面を参照して本発明に係る第２実施形態について説明する。図２は、本実施形態に係るＸ線撮影装置１０８の構成を示すブロック図である。第１実施形態で説明した構成要素と同様の構成要素については、同一の参照番号を付してあり、説明を省略する。第１実施形態と異なる点は、Ｘ線撮影装置１０８が備える情報隠蔽表示指示部１０５が、Ｘ線発生装置Ａ（Ｘ線発生装置２０１）およびＸ線発生装置Ｂ（Ｘ線発生装置２０２）と接続されている点である。すなわち、本実施形態に係る接続されている全ての装置は、Ｘ線発生装置Ａ（Ｘ線発生装置２０１）およびＸ線発生装置Ｂ（Ｘ線発生装置２０２）である。第１実施形態と接続装置が異なるのみで、図４のフローチャートで説明した処理手順と同様の処理を行う。
【００２８】
（第３実施形態）
以下、図面を参照して本発明に係る第３実施形態について説明する。図３は、本実施形態に係るＸ線撮影装置１０８の構成を示すブロック図である。第１実施形態で説明した構成要素と同様の構成要素については、同一の参照番号を付してあり、説明を省略する。第１実施形態と異なる点は、Ｘ線撮影装置１０８が備える情報隠蔽表示指示部１０５が、Ｘ線検出装置Ａ（Ｘ線検出装置１０１）およびＸ線検出装置Ｂ（Ｘ線検出装置１０２）、Ｘ線発生装置Ａ（Ｘ線発生装置２０１）およびＸ線発生装置Ｂ（Ｘ線発生装置２０２）と接続されている点である。すなわち、本実施形態に係る接続されている全ての装置は、Ｘ線検出装置Ａ（Ｘ線検出装置１０１）およびＸ線検出装置Ｂ（Ｘ線検出装置１０２）、Ｘ線発生装置Ａ（Ｘ線発生装置２０１）およびＸ線発生装置Ｂ（Ｘ線発生装置２０２）である。第１実施形態と接続装置が異なるのみで、図４のフローチャートで説明した処理手順と同様の処理を行う。
【００２９】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005762071.tif 000002
【図２】
0005762071.tif 000003
【図３】
0005762071.tif 000004
【図４】
0005762071.tif 000005
【図５】
0005762071.tif 000006
【図６】
0005762071.tif 000007
【図７】
0005762071.tif 000008